(57)【要約】　　　（修正有）【課題】座部の高さ位置調節機構と、食卓等として用いるテーブルとを備えたタイプの小児用椅子に用いるに好適した、椅子用のクッションを提供する。【解決手段】椅子の座部から背もたれにかけて、覆い被せた状態で用いるものであって、座部クッションと背もたれクッションとを、一体に連ねた形態を備えており、座部クッション及び背もたれクッションには、夫々の前記覆い被せ状態を固定させる為の固定手段を付設したことを特徴とする。そして、背もたれクッションの裏側には、背もたれとの間に介在させる為の、膨らみ具合可変のエアークッションが、着脱自在に取付けられていることも特徴とする。又、座部クッションの前側に、座部の前縁部に覆い被せて位置決めする為の掛止部材を連設したことも特徴とする。【選択図】図５
0003099564.tif 000002
【実用新案登録請求の範囲】
【請求項１】
　椅子の座部と背もたれとに、跨がる様に覆い被せた状態で用いるものであって、
　座部クッション１と背もたれクッション２とを、一体に連ねた形態を備えており、
　座部クッション１及び背もたれクッション２の夫々に、前記覆い被せ状態を固定させる為の固定手段を付設したことを特徴とする椅子用のクッション。
【請求項２】
　座部クッション１の固定手段は、椅子の脚部に括り付ける為の括り紐４であり、背もたれクッション２の固定手段は、背もたれクッション２の上端部と下端個所とを、背もたれの裏側で連結させる為の結び紐５であることを特徴とする請求項１記載の椅子用のクッション。
【請求項３】
　座部クッション１の前端に、座部の前縁部分に覆い被せて位置決めする為の、ポケット状の掛止部材３を延設したことを特徴とする請求項１又は２記載の椅子用のクッション。
【請求項４】
　背もたれクッション２の裏面側下部の、上下に所定間隔を隔てた複数箇所に、結び紐５を挿通させる為の紐通し用部材６を取付けたことを特徴とする請求項２記載の椅子用のクッション。　　　
【請求項５】
　背もたれクッション２の裏面に、膨らみ度合いが可変のエアークッション７を、着脱自在に取付けたことを特徴とする請求項１記載の椅子用のクッション。
【請求項６】
　座部クッション１の前部には、小児の動きを規制する為に座部に取付けた安全バンドを挿通させる為の、挿通孔９を設けたことを特徴とする請求項１記載の椅子用のクッション。
【考案の詳細な説明】
【技術分野】
【０００１】
　本考案は、テーブル付きの小児用椅子等に用いるに好適した、椅子用のクッションに関する。
【背景技術】
【０００２】
　図７に、既存の、テーブル付きの小児用椅子の一例を示した。
　この小児用椅子５０は、木製で、左右一組の帯板状脚部５１，５１間に、座板（座部）５２と、足載板５３と、背もたれ板５４とを挟み込み、更に、上端部には、小児の着座用スペースＳを設けたテーブル５５を、その支軸５６の周りに前後に回動自在に組付けている。
　又、一組の帯板状脚部５１，５１の対向面には、座板５２と足載板５３との、夫々の高さ位置を調節自在にする為の、複数の板嵌込溝５７を上下に所定間隔を隔てて設けている。
【０００３】
　この種の椅子には、デリケートな体の小児が心地良く座れる様に、椅子の特殊な構造や機能に適応する様に工夫された専用のクッションを付属させるのが、本来は望ましい筈なのに、従来は、そこ迄の気配りがされていないのが一般だった。
【考案の開示】
【考案が解決しようとする課題】
【０００４】
　そこで、本考案の目的は、図７に例示した様に、座部の高さ位置の調節機構と、食卓等として用いるテーブルとを、併せ備えたタイプの小児用椅子に用いるに好適した、椅子用のクッションを提供するにある。
【課題を解決するための手段】
【０００５】
　上記の目的を達成する為の、本考案による椅子用のクッションは、　　
　椅子の座部と背もたれとに、跨がる様に覆い被せた状態で用いるものであって、
　座部クッション１と背もたれクッション２とを、一体に連ねた形態を備えており、
　座部クッション１及び背もたれクッション２の夫々に、前記覆い被せ状態を固定させる為の固定手段を付設したことを特徴とする。
　そして、座部クッション１の固定手段は、椅子の脚部に括り付ける為の括り紐４であり、背もたれクッション２の固定手段は、背もたれクッション２の上端部と下端個所とを、背もたれの裏側で連結させる為の結び紐５であることも特徴とする。
　背もたれクッション２の裏面側下部には、上下に所定間隔を隔てた複数箇所に、結び紐５を挿通させる為の紐通し用部材６を取付けるとよい。
　又、座部クッション１の前端に、座部の前縁部分に覆い被せて位置決めする為の、ポケット状の掛止部材３を延設するとよい。
　更に、背もたれクッション２の裏面に、膨らみ度合いが可変のエアークッション７を、着脱自在に取付けたことも特徴とする。
　座部クッション１の前部には、小児の動きを規制する為に座部に取付けた安全バンドを挿通させる為の、挿通孔９を設けるとよい。
【考案の効果】
【０００６】
　本考案による、主として小児用の椅子クッションは、以下に列挙した如き実用上の優れた効用を発揮してくれる。
　（ａ） 座部と背もたれとに跨がらせて被せた状態を、ズレ動かない様に、簡単・確実に固定出来る。
　（ｂ）座部の高さ位置を調節した時に、この変化に簡単に対応出来る。
　（ｃ）座部クッションの位置決めも、座部に設けた掛止部材によって、簡単・確実に行える。
　（ｄ）背もたれクッションの裏側に着脱自在に取付けた、膨らみ具合可変のエアークッションによって、椅子に付設したテーブルと、背もたれクッションとの間の間隔幅を、必要に応じて、簡単・自在に調節出来る。
　（ｅ）その為、椅子に着座した小児を、きつ過ぎず、緩る過ぎずの、最適状態で拘束出来る。
　（ｆ）座部クッションに設けた挿通孔が、安全バンドの使用を可能にする。
【考案を実施するための最良の形態】
【０００７】
　以下に、本考案の一実施例に就いて、図１〜図６を参照しながら説明する。
　図１は、小児用の椅子Ｂに、この実施例のクッションＡを取付けた状態を示す斜視図。図２は、クッションＡを、展開状態にして裏側から見た斜視図。図３は、図２のＸ−Ｘ線に沿う縦断面図である。
【０００８】
　図４は、クッションＡを、椅子Ｂの座板に載せ掛けつつある状態の斜視図。図５は、クッションＡを、椅子Ｂに取付け終えた状態を示す部分側面図。図６は、クッションＡを取付けた椅子Ｂに小児が着座した状態を示す見取図である。
【０００９】
　椅子Ｂは、基本的には、図７に示した、従来の小児用椅子５０の構造とほぼ同じである。
　図１に示した椅子Ｂの構成部品のうち、図７の椅子５０と共通する部品に就いては、この部品と共通の符号を付した。
　即ち、図１中で、５１は帯板状脚部、５２は座板（座部）、５３は足載板、５４は背もたれ板（背もたれ）である。
　尚、テーブル５５の図示は、省略している。
【００１０】
　この実施例のクッションＡは、図２に示した様に、座部クッション１と、背もたれクッション２とを、一体に連ねた形態を備えている。
　クッションＡは、図１，図５に示した様に、椅子Ｂの座板５２と背もたれ板５４とに覆い被せた状態で使用される。
【００１１】
　座部クッション１の前端には、図４，図５に示した様に、座板５２の前縁部に覆い被せて、座部クッション１を位置決めする為の、ポケット状の掛止部材３を、図２，図３に示した様に、一体に延設している。
　この掛止部材３の先端の左右両側には、図１に示した様に、クッションＡを使用状態に固定させる為の固定手段としての、括り紐４を取付けている。
【００１２】
　背もたれクッション２は、図１，図５に示した様に、椅子Ｂの背もたれ部分の背丈よりも、所定寸法だけ長く作られており、その上端部を椅子Ｂの背もたれ部分の裏側面に向けて折り曲げられる様にしている。
　この背もたれクッション２の、先端の左右両側にも、 クッションＡを使用状態に固定させる為の固定手段としての、結び紐５を取付けている。
【００１３】
　そして、図２，図５に示した様に、背もたれクッション２の裏面側の下部には、結び紐５を挿通させる為の紐通し用部材６を、上下に所定間隔を隔てた複数箇所に取付けている。
【００１４】
　更に、背もたれクッション２の裏面側には、図２，図３に示した様に、エアークッション７を、挿・脱自在に収める為の、ポケット８を設けている。
　このエアークッション７は、空気枕の様に、その膨らみ度合を任意に変えることが出来る。
　尚、ポケット８に代えて、ベルベット式ファスナー（マジックテープ）やホックの類を用いてもよい。
【００１５】
　エアークッション７は、背もたれクッション２と背もたれ板５４との間に介在させ、その膨らみ具合を変えることによって、図６に示した様に、椅子Ｂに着座した小児と、テーブル５５との間の隙間幅を、調節する役割を果たすものである。
【００１６】
　座部クッション１の前側には、図示は省いたが、座板５２とテーブル５５との間に、小児の動きを規制する安全バンドを取付けた場合の為に、この安全バンドを挿通させる為の挿通孔９を設けている（図３参照）。
【００１７】
　次に、クッションＡの使い方に就いて、その一例を、図４〜図６を参照しながら説明する。
　クッションＡを、椅子Ｂに取付けるには、先ず、図４に示した様に、座部クッション１の前縁側に取付けてあるポケット状の掛止部材３を、座板５２の前縁部に被せて、座部クッション１を位置決めする。
　そして、この状態を固定させる為に、掛止部材３の左右両側に取付けてある括り紐４を、図５に示した様に、帯板状脚部５１に夫々括り付ける。
【００１８】
　続いて、背もたれクッション２を、椅子Ｂの背もたれ部に当てがったうえ、その上端側が、背もたれ部の上方に突出している部分を、背もたれ部の裏側に向けて折り返す。
　そして、背もたれクッション２の左右両側に夫々取付けてある、２本で一組の結び紐５を、図５に示した様に、背もたれクッション２の裏側下部に設けてある紐通し用部材６に挿し通したうえ、結び紐５，５同士を緊張状態で縛り付ける。
【００１９】
　これによって、背もたれクッション２を、椅子Ｂの背もたれ部に当てがった状態がシッカリ固定される。
　そして、座板５２の高さ位置を変えた時には、結び紐５を、上下方向の複数箇所に取付けてある紐通し用部材６のうちの、最適位置のものを選んで挿通させればよい。
【００２０】
　ところで、図６に示した様に、椅子Ｂに小児が着座した状態で、小児の胴部とテーブル５５との間の隙間は、広過ぎれば、小児が自由に動ける範囲が広くなって、安全確保が難くなり、狭過ぎれば、小児の必要な動き迄も拘束してしまうことになる。
　そこで、上記の隙間を最適の幅に調節したい時には、ポケット８に収めてあるエアクッション７を、一旦、取出し、その膨らみ具合を適宜に加減することによって、この調節を至極簡単に行うことが出来る。
【図面の簡単な説明】
【００２１】
【図１】本考案の一実施例を示すもので、小児用の椅子に、クッションを取付けた状態の部分破断斜視図である。
【図２】同上、展開状態のクッションを裏側から見た斜視図である。
【図３】同上、図２のＸ−Ｘ線に沿う縦断面図である。
【図４】同上、座板に座部クッションを載せ掛けつつある状態の斜視図である。
【図５】同上、椅子に、クッションを取付け終えた状態を示す部分側面図である。
【図６】同上、エアクッションの機能を説明した見取図である。
【図７】従来例を示すもので、テーブル付きの小児用椅子の斜視図である。
【符号の説明】
【００２２】
　Ａ　クッション
　Ｂ　椅子
　１　座部クッション
　２　背もたれクッション
　３　掛止部材
　４　括り紐
　５　結び紐
　６　紐通し用部材
　７　エアークッション 
　８　ポケット
　９　挿通孔
５０　従来の小児用椅子
５１　帯板状脚部
５２　座板（座部）
５３　足載板
５４　背もたれ板（背もたれ）
５５　テーブル
５６　支軸
５７　板嵌込溝
　Ｓ　着座スペース
【図１】
0003099564.tif 000003
【図２】
0003099564.tif 000004
【図３】
0003099564.tif 000005
【図４】
0003099564.tif 000006
【図５】
0003099564.tif 000007
【図６】
0003099564.tif 000008
【図７】
0003099564.tif 000009